(57)【要約】    【課題】  携帯型情報通信機の映像表示部の表示面は縦方向に短く、横方向に長い横長表示を行っているため、表示面積が狭く、送信もしくは、受信時のカメラ撮影の伝送静止画を表示する際に見難い。    【解決手段】  携帯型情報通信機の長て方向に表示方向を長く設定した映像表示部を設け、通話、映像撮影、及び、受信専用などの指示手段を設け、通話時は縦長表示にする縦長表示手段と、映像撮影、もしくは、受信専用時は横長表示にする横長表示手段とで構成する。    【選択図】  図２
2006121759.tif 000002
【特許請求の範囲】
【請求項１】
レンズ、撮像素子からなるカメラ部と、音声、文字、及び、映像などの信号を送受信する携帯電話部と、前記信号を映像表示する映像表示部からなる携帯型情報通信機において、前記映像表示部の表示面を前記携帯型情報通信機の縦方向に長く設け、前記カメラ部による映像撮影及び通話、もしくは、前記音声、文字及び映像の受信専用などを指示する指示手段と、前記通話時は、前記表示部の表示方向を縦長にする縦長表示手段と、前記映像撮影時、もしくは、前記受信専用時は、前記表示部の表示方向を横長にする横長表示手段とから構成し、前記指示手段の指示内容により前記表示部の表示方向を切換えることを特徴とする携帯型情報通信機の表示装置。
【請求項２】
請求項１において、重力方向、もしくは、重力方向からの前記携帯型情報通信機の傾き方向を検出する重力方向検出器と、前記重力方向検出器の重力方向の反対側に表示を正立像する正立表示手段とから構成し、前記映像表示部の表示方向を縦長もしくは、横長に切換えた時に、操作者に対して、常に正立像を得られる携帯型情報通信機の表示装置。
【請求項３】
請求項２において、前記映像表示部内に前記指示手段を配置し、前記表示部が縦長や横長等の正立表示時に操作指示の位置や前記名称を表示する文字図形発生手段と、前記重力方向検出器の検出信号と前記指示手段の指示信号により各操作指示位置と前記各操作指示の名称を移動する位置移動手段とから構成し、前記携帯型情報通信機の表示方向に合わせて操作位置や名称を表示する携帯型情報通信機の表示装置。
【請求項４】
レンズ、撮像素子からなるカメラ部と、音声、文字及び映像などの信号を送受信する携帯電話部と、前記信号を映像表示する映像表示部からなる携帯型情報通信機において、前記映像表示部の縦長表示面と、前記重力方向検出器と、前記携帯型情報通信機の傾きが垂直方向付近は、前記表示部の表示方向を縦長にする縦長表示手段と、前記携帯型情報通信機の傾きが水平方向付近は、前記表示部の表示方向を横長にする横長表示手段と、前記正立表示手段とから構成し、前記携帯型情報通信機の水平、もしくは、垂直位置等に傾けることにより、前記表示部の表示方向を切換え、かつ、操作者に対して正立表することを特徴とする携帯型情報通信機の表示装置。
【請求項５】
請求項１，２，３または４において、音声を電気信号に変換する第１受音部と第２受音部とを設け、電気信号を音声に変換する第１発音部と第２発音部とを設け、前記第１受音部の隣に前記第２発音部を配置し、前記第２受音部の隣に前記第１発音部を配置し、前記重力方向検出器の検出信号により、前記第１の受音部と発音部の第１動作と、前記第２の受音部と発音部の第２動作とを切換える受発音切換手段とから構成し、前記携帯型情報通信機の重力方向側の受音部が動作し、前記重力方向と反対側の発音部が動作し、前記正立表示と連動して通話を行う携帯型情報通信機の表示装置。
【請求項６】
請求項５において、前記重力方向検出器は導伝液体を密閉し、その中に、複数の電極を配置し、前記導伝液体と前記複数の電極との導通、非道通を検出し、重力方向、もしくは、重力方向からの前記携帯型情報通信機の傾き方向を検出する携帯型情報通信機の表示装置。
【請求項７】
請求項５において、前記重力方向検出器と前記映像表示部を一体に構成する携帯型情報通信機の表示装置。
【発明の詳細な説明】
【技術分野】
【０００１】
本発明は携帯型情報通信機の表示装置に関する。
【背景技術】
【０００２】
従来の技術では、特許文献１に示されているように、携帯電話機は一般的に掌サイズを基準に、縦方向が長く横方向が短い形状にある。そして、その携帯電話機の映像表示面には前記形状とは逆方向の縦方向に短く、横方向に長い横長表示を行っている。また、特許文献２に示されている表示装置で、装置の表示面を機械的に回転し、縦長や横長方向に切換える構成が有る。また、特許文献３に示されている携帯型情報通処理装置で、表示装置の周辺に設けた光センサで操作者の位置を検出して、その位置により、表示方向を縦長、もしくは、横長に切換える構成が有る。
【特許文献１】特開平６−１３３０８１号公報
【特許文献２】特開平６−３０１３４１号公報
【特許文献３】特開平７−１６８５２９号公報
【発明の開示】
【発明が解決しようとする課題】
【０００３】
しかし、上述のような従来技術では、表示装置の表示面形状は、携帯電話機の外形の横の長さに限定され、しかも、横方向に長く縦方向に短い横長表示のため、表示面積が狭いので、画像も小さくなり、カメラ撮影時の映像の確認や設定が難しい。更に、片手で携帯電話を所持するためカメラ撮影時の安定性が悪いなどの問題点がある。
【０００４】
また、表示装置を機械的に回転し、表示方向を変える方式は表示部分が小型、かつ、薄型のために強度が弱い。さらに携帯して使うため、それを回転した時に凸部が他の部分に当たりやすく壊れやすいという問題点がある。
【０００５】
また、表示装置の周辺部分に設けた光検出器により、表示方向を変える方式では操作者が表示装置を手に持つ時に、前記検出器の位置を避けて、表示装置を所持つづける必要が有り、使いにくいという問題点がある。
【０００６】
本発明の目的は、簡単な構成で通話やカメラ撮影、及び、受信専用等に最適な表示方向を設定する携帯型情報通信機の表示装置を提供することにある。
【課題を解決するための手段】
【０００７】
本発明は前記目的を達成するために、携帯型情報通信機の縦長方向と同方向に前記映像表示部の表示面を縦長に構成し、前記表示方向を通話時に縦長表示する縦長表示手段と、カメラ撮影時もしくは、受信専用時に横長表示する横長表示手段とを設ける。
【０００８】
また、重力方向、もしくは、重力方向に対する携帯型情報通信機の傾き方向を検出する重力方向検出器と前記重力方向検出器の検出信号から、操作者に対して、常に表示画面が正立表示する正立表示手段を設ける。
【０００９】
また、音声を電気信号に変換する２組の受音部と、更に電気信号を音声に変換する２組の発音部を設け、第１受音部の隣に第２発音部を配置し、また、第１発音部の隣に第２受音部を配置し、前記重力方向検出器の検出信号により、前記第１の受音部と発音部の第１動作と、前記第２の受音部と発音部の第２動作とを切換える受発音切換手段を設け、重力方向側を常に受音部にし、重力方向と反対側を常に発音部にし、携帯型情報通信機の正立表示に合わせての通話を可能にし、また、所持位置の持ち変え操作を無くす。
【００１０】
また、前記重力方向検出器の検出信号により、前記表示部内の各操作指示位置と前記各操作指示の名称位置を移動する位置移動手段を設け、表示方向の変化に追従して、操作指示位置や操作名称方向などを移動して、携帯型情報通信機の正立表示の合わせて切換え、また、所持位置の持ち変え修正を無くし、操作指示を簡単に行える。
【００１１】
また、前記重力方向検出器の検出信号により、前記携帯型情報通信機が水平方向では、前記表示部の表示方向を横長表示する横長表示手段と、垂直方向では、縦長表示にする縦長表示手段を設け、さらに、前記正立表示手段とを設け、操作者が前記携帯型情報通信機の位置を水平、または、垂直方向に変えるのみで、前記表示部の表示方向を制御する。
【００１２】
また、前記重力方向検出器と前記映像表示部を一体に構成する。
【発明の効果】
【００１３】
本発明は、通話およびカメラ撮影に最適な表示方向を設定する携帯型情報通信機を提供することを目的とする。
【発明を実施するための最良の形態】
【００１４】
以下、本発明の携帯型情報通信機の表示装置の第１の実施例を以下説明する。図１は同発明の外形図である。１は携帯型情報通信機の本体、２は映像や文字等を液晶を用いて表示するカラー液晶表示部、３はレンズを通した可視光を撮像素子に導くカメラ頭部、４は音声信号を音声に変換する発音部（以後スピーカと呼ぶ）、５は音声や音を電気信号に変換する受音部（以後マイクと呼ぶ）、６は表
示画面内に表示した各種操作指示の複数キーを示し、その６ａ〜６ｊをタッチすることにより各指示が行えるタッチスイッチ。また、６ｓｗは、機械的なプシュスイッチ、７は電波を送受信するアンテナである。同図より動作を説明する。スイッチ６ｓｗを押し、携帯型情報通信機１に電源が供給され、カラー液晶表示部２に、文字やタッチキー６ａ〜６ｊの位置とそのキーの表示方向が縦長表示として現われる。次に同図のタッチキー６ａ〜６ｊを選択してダイヤル番号を指示して相手を呼び出し通話を開始する。そして、通話中に相手側、もしくは、自分側からの画像を表示する場合は、通話指示信号から、携帯型情報通信機１の表示方向を同図の様に縦長表示にし、携帯型情報通信機１を手に持ったままの状態で、表示内容の確認を行える。
【００１５】
次に、タッチキー６ａ〜６ｊを選択して、カメラ映像撮影を指示すると、携帯型情報通信機１は図２に示す様にカメラ頭部３の映像をカラー液晶表示部２に横長表示される。この時、タッチキー６ａ〜６ｊの位置も横長表示に、また、文字の方向も横長表示され、かつ、キー位置は携帯型情報通信機１を横長に所持した時に、操作し易い位置に移動される。（図では６ｊのみを示す）。そして、操作者は携帯型情報通信機１を横にし、カメラ頭部３付近を右手で所持し、次にマイク５付近を左手で所持する。すなわち、両手で所持する構成のために、片手で所持よりも、カメラ頭部３の振れを減少できるため、その分、撮影を安定に行える。さらに、携帯型情報通信機１の縦長方向に液晶表示を広めた横長表示のために、大変見易くなり、それだけ撮影が簡単に行える。このように、携帯型情報通信機１の表示画面を縦方向に長い縦長表示にすることで、カメラ撮影を安定に行え、かつ、撮影がし易い。なお、携帯型情報通信機１を横にすると、カメラ撮影の風景の映像は縦表示から横表示に変えるため、それを横長に変換すると、縦長表示に戻り、かつ、画像が倒立する。これを防止するために、タッチキーに、表示方向変換のオン／オフキーを設け、横長表示への変換を停止し、カメラからの映像をそのまま表示する。
【００１６】
次に図３に本発明の他の実施例を示す。９は機械的なスイッチ（９ａ〜９ｊ及び９ｓｗ）を示し、押すことにより操作指示やダイヤル番号が入力される。このスイッチは、図１、図２のカラー液晶表示部２内のタッチセンサ６の代りに設けられ、その専用の場所を必要とし、形状がその長さだけ縦長になり、携帯性がそこなわれるが、表示画面のタッチ操作による指の油汚れを避けられる。
【００１７】
次に図４は本発明の第１の実施例図１、図２のブロック図を示す。受光レンズ、固体撮像素子、固体撮像素子ドライブ回路等からなるカメラヘッド５０から光電変換信号５１を得て、これをカメラ回路５２に入力する。カメラ回路５２はカメラ信号処理回路、同期信号発生回路等からなり、光変換信号５１からテレビジョン信号形式の映像信号５３を生成する。そして映像信号５３は縦長表示方向で出力され、画像配列変換回路５４に入力される。画像配列変換回路５４は、ＲＡＭ(Ｒandom Ａccess Ｍemory）５５、書込アドレス発生回路５６および、読出アドレス発生回路５７等からなる。映像信号５３は画像配列変換回路５４のＲＡＭ５５に記憶される。ここで、カメラ回路５２からの同期信号５８に同期して、書込アドレス発生回路５６から所定の順序で出力されるメモリアドレス信号５９によって、映像信号５３がＲＡＭ５５上の所定のメモリアドレスに記憶される。ＲＡＭ５５に一旦記憶された映像信号５３は、次に、同期信号５８と同期した読出アドレス発生回路５７から出力されるメモリアドレス信号６０によって、ＲＡＭ５５から読出されるが、読出アドレス発生回路５７のアドレス発生順序を、あらかじめ、ＲＯＭ１(Ｒead Ｏnly Ｍemory、図示せず。）に記憶され、同期信号５８に同期したカウンタによってＲＯＭ１から順番に読出アドレスを出力する。ここで、カラー液晶表示部２の横長表示時の走査方向は横長表示画面に向かって左上端から右端への水平方向とし、また、縦長表示時の走査方向は、縦長表示画面に向かって左下端から上端への垂直方向として以下を説明する。縦長表示を横長表示に変換するには、縦長表示画面に向かって左最上端から行方向に画素読出を行い、それを、横長表示方向の水平走査で表示を行うようにする。そのために、まず縦長表示の映像信号をＲＡＭ５５に記憶する。そして、読出アドレスは、先の書込アドレス発生回路５６により書込んだメモリ位置を縦長表示画面に向かって左最上端に相当する行ｎの最初のアドレスを起点にし、行方向のアドレスを順に読出しすることになる。その行が終了すると、先の書込アドレス発生回路５６の次行ｎ＋１の最初のアドレスに移行して同様の読出が行われるよう構成する。これにより、表示方向は縦長表示から横長表示に変換が行える。すなわち、テレビジョン信号の１フィールド分の映像信号５３をＲＡＭ５５に記憶し、次のフィールド期間に前述の方法で読み出せば縦長表示から横長表示の映像信号６１が得られる。また、連続したテレビジョン信号を得るには、２フィールド分の映像信号５３を記憶するＲＡＭ５５を具備して、あるフィールドの映像信号を書込と同時に１フィールド期間前に書込まれた信号を読み出すように構成すれば良い。
【００１８】
次に、横長表示に変換された映像信号６１は端子６４に入力する。一方カメラ回路５２の縦長表示の映像信号５３は端子６２に入力される。その端子６２、及び端子６４の信号は、タッチキー６ａ〜６ｊ及び機械スイッチ６ｓｗ信号や通信機１の受信信号等を入力して、各種制御信号を発生する制御回路８０の出力信号６５によって制御されたスイッチ７３により切換えられる。そして、タッチキーからのカメラ撮影指示では、横長表示に変換された映像信号６１の端子６４側にスイッチ７３を切換える。また、タッチキーからの通話指示では、縦長表示の映像信号５３の端子６２に切換えられる。その切換えられ信号６７は、タッチキーの位置とその名前の表示、また、機器の状態を文字や図形等にした情報を記憶し、それらを出力する文字図形発生回路６９からの信号７０を加算器６８によって得て、カラー液晶表示部２に表示される。すなわち、カメラからの縦長表示を、画像配列変換回路５４により変換した横長表示に文字信号７０を含めた横長表示を行う。また、通話時にはカメラからの縦長表示に文字信号７０を含めた縦長表示を行う。そして、出力信号６７は変調回路８１にも入力されて、縦長や横長の映像を送信する。ここで、横長表示手段は、この画像配列変換回路５４になるが、カメラ映像撮影時の表示が既に横長表示であれば、変換する必要が無く、この場合は、切換えスイッチ７３と、それを制御する制御回路８０（例えば前述の表示方向の変換オン／オフキーによる指示信号を用いる。）などが必要となり、それらも含まれることになる。
【００１９】
また、カメラ撮影時の縦長表示は、相手側から送られてくる画像と同じである場合、相手側の画像、すなわち、通話時の縦長表示は横長表示で用いた切換えスイッチ７３と、それを制御する制御回路８０などで併用でき、これも縦長表示手段となる。
【００２０】
次に、制御回路８０の出力信号９０は変調回路８１の一方に入力される。変調回路８１ではマイク５や縦長表示の映像信号を変調し、その出力のオン／オフ制御を行われる。また、制御回路８０の他の出力信号９２は基準信号から所定の発振や受信の周波数を得る搬送波シンセサイザ９３に入力され回路８０のオン／オフ制御が行われる。変調回路８１の他の出力信号９１は発振回路８２に入力し、発振回路８２の搬送波周波数信号９３を変調する。そして、発振回路８２は、変調電力を増幅する。その信号は供用器９３を介してアンテナ７に導かれ、電波を発振し、相手側に情報を伝達される。この時、送信と受信のタイミングは分かれているため、送受信は混合しない。そこで、相手側の送信電波は同アンテナ７と共用器８３を介した信号９６となり、受信部８５に入力される。受信部８５は受信信号と搬送波シンセサイザ９４の出力信号９５により、受信信号の復調信号９８を得る。信号９８は音声や映像信号及び文字信号を復調する復調回路８６に入力する。復調回路８６の出力音声信号３３はスピーカ４に供給されて音声に変換され、出力映像信号３４は端子６３及びスイッチ７３を介して、信号６７を得て、カラー液晶表示部２に入力され縦長表示される。また、復調回路８６の他の出力信号９９は制御回路８０に入力され、受信時の各種動作タイミングが制御される。さらに、復調回路８６の出力同期信号３５は端子７６とスイッチ７４を介してカラー液晶表示部２に入力され、同期タイミングが得られて安定な画像が得られる。
【００２１】
次に本発明の第２の一実施例を図５を用いて詳細に説明する。４ａはスピーカ、５ａはマイク、２１は、液体の重力方向への移動と、その方向に安定に留まろうとする性質により、重力方向と、重力方向に対する記携帯型情報通信機１の傾きを検出する重力方向検出器、１１，２５、及び７４は信号を切換えるスイッチである。次に動作を説明する。重力方向検出器２１はカラー液晶表示部２と一体に構成され、カラー液晶表示部２の表示位置を重力方向を基準にして得た検出信号２２が表１の様に４通り得られる。
【００２２】
【表１】
2006121759.tif 000003
【００２３】
検出信号２２は制御回路８０に入力する。制御回路８０は検出信号２２の内容を判定する。例えば携帯型情報通信機１を所持した時に操作者に対して表示位置が縦長方向かつ、像が逆転であった場合には（所持方向が反対）、検出信号２２
は表１の様にディジタル信号１０１１を出力する。これを制御回路８０で判定する。そして、通話指示の場合は表示位置を縦長方向の正立表示にするように、制御回路８０の出力信号２７と１３及び１４により、各切換えスイッチ１１，２５，７４及び文字図形発生回路６９を制御する。この動作をさらに詳細に以下述べる。切換えスイッチ２５で復調回路８６の受信の映像信号３４（例えば横長表示）とカメラ回路５２のカメラ撮影信号５３（縦長表示）とを切換えて得た信号２８を端子２９と画像配列変換回路５４に入力される。端子２９はスイッチ１１を経由して、受信の映像信号３４と前記カメラ撮影信号５３がカラー液晶表示部２に入力され、受信（通話）、もしくは、カメラ撮影の映像を元の表示方向で表示する。
【００２４】
一方、画像配列変換回路５４は前述した書込アドレス発生回路５６、ＲＡＭ５５及び、読出アドレス発生回路５７のＲＯＭ１により、表示方向を縦長表示から横長表示に変換する。しかし、その逆の横長から縦長表示に変換するには、ＲＡＭ５５の読出アドレスを新たなＲＯＭ２（図示せず）にあらかじめ記憶しておき、同期信号５８に同期したカウンタによってＲＯＭ２から順番に読出アドレスを指示する。そこで、横長表示画面からの画面変換方法は、横長表示画面に向かって、左最下部の画素を起点として列の上方向に読出せば良い。そこで、ＲＯＭ５５での読出アドレスは、先の書込アドレス発生回路５６により横長方向に書込んだメモリ番地の横長表示画面に向かって左最下端に相当する行の最初のｍアドレスを起点にし、同列の上方に向かって、アドレスを順に読出す。その列が終了すると、同行のｍ＋１のアドレスに移行して同様の読出が行われるよう構成する。このときの縦長変換により、縦横の画素数の違いによる画像欠けが発生するが、その部分を、全画面の周辺部に移行するように設定すれば、周辺部の画像は重要部分が少ないので、ほとんど問題にならないため、さきの起点読出アドレスｍを画面の内側に変えれば良い。これにより、ＲＡＭ５５に書込んだ横長表示データを縦長表示に変換した映像信号６１が得られる。ここで縦長表示手段は、この画像配列変換回路５４と、もしくは、通話時の表示が既に縦長表示であれば、変換する必要無いので、この場合は、切換えスイッチ１１と、それを制御する制御回路８０などが必要であり、これらも含まれる。そして、アドレス読出操作におけるＲＯＭ１，ＲＯＭ２のアドレス指定は同期信号を用いたカウンタで行われているが、これを公知のアップダウンカウンタで構成し、カウント方向を制御回路８０の出力信号１５によってアップとダウンとで切り替えることにより、あらかじめＲＯＭ１，ＲＯＭ２に記憶した読出アドレスの発生順序と同一あるいは逆転に切り替えることが可能である。これにより、縦長表示や横長表示に変換した表示に対して、さらに、正立や倒立表示が行われる。また、アドレス読出操作のＲＯＭ１，ＲＯＭ２を介さずに、直接アップダウンカウンタの出力信号をＲＡＭ５５に接続し、同様に制御回路８０の出力信号１５によってカウント方向をアップとダウンとで切り替えることにより、ＲＡＭ５５の書込アドレスと同一あるいは逆転した読出アドレスに切り替えられて、ＲＡＭ５５に書込んだ表示方向と正立、もしくは、倒立表示を得られる。そして、これらの操作指示を制御回路８０により行う。例えば、相手から送られてくる画像の縦長や横長表示の判別信号（そのデータＡが１は縦長、０は横長）や携帯型情報通信機１自身の縦長や横長の判別信号（そのデータＢが１は縦長、０は横長）及び、重力方向検出器２１の検出信号２２の情報を制御回路８０により判断し、（ディジタル信号の論理回路を構成）条件の一致した出力信号により、読出用のカウンタや切換えスイッチ１１，２５を制御して、正立表示が行われる。このように、縦長表示手段と横長表示手段及びＲＡＭ５５などのアドレス読出の順方向と逆方向を指示するカウンタを操作し、正立表示を行うようにする構成を正立表示手段と呼ぶ。その具体的な各動作を表２と表３に示す。
【００２５】
【表２】
2006121759.tif 000004
【００２６】
【表３】
2006121759.tif 000005
【００２７】
同表は通話時とカメラ撮影時の場合、表示方向が縦長や横長の時の各スイッチ、ＲＡＭ５５の読出カウンタ、及び、ＲＯＭ１，２のカウンタの動作を示す。表２は通話時は表示方向を縦長方向にし、カメラ撮影時は、横長方向にし、かつ、正立表示するための各動作を示している。また、表３は通信機１側の今の表示位置の表示方向に合わせるように表示方向を制御し、かつ、正立表示するための各動作を示している。この時、受信の同期信号３５と、カメラからの同期信号５８はスイッチ２５と連動してスイッチ７４により切換えられ、書込や読出アドレス発生回路５７及びカラー液晶表示部２に供給されて、各回路の同期が得られる。このようにして、操作者が任意に携帯型情報通信機１を所持した場合、その状態を重力方向検出器２１で検出し、制御回路８０で受信信号や表示内容を判断し、かつ、各回路を制御して、自動的に液晶表示方向を正立方向に修正が可能になり、その携帯型情報通信機１の持ち変える動作を省ける。このとき、カメラ位置は、重力方向検出器２１により検出できるので、携帯型情報通信機１を縦から横方向、もしくは、その反対方向に移動した場合には、それの検出信号から表示方向の切換えの制御が行え、自動的に液晶表示方向を正立方向に修正が可能になる。また、同表２，３はカメラ位置が上下に反転した場合について表示していないが、これについても、前述した方法を利用することにより正立表示が行える。
【００２８】
次に同重力方向検出器２１の詳細構成を図６に示す。約ひし形の外形Ｅの内側に導伝液体Ｇ（例；食塩水）を入力しておく、その内側の片面に共通電極Ｆを配置する。また、外形Ｅの他の片面の４端に４電極のＡ１，Ｂ１，Ｃ１，Ｄ１を配置し、導伝液体Ｇを介して電極Ｆとの導通を検出する。例えば、カラー液晶表示部２が同図のように垂直方向に位置している場合は、電極Ａ１以外は導伝液体Ｇを介して全て電極Ｆと導通して制御回路８０に信号を伝達し、表１に示されるように、液晶表示が縦長で操作者に対して正立している状態を検出できる。すなわち、携帯型情報通信機１を任意に所持した時に、導伝液体Ｇが重力の方向に移動することにより、導通しない所の電極が得られ、それを検出することにより、液晶表示面の現在位置の水平、もしくは、垂直方向を検出できる。また、導通しない所の電極位置の反対側が重力方向と判定できる。さらに、これを、もう一つ用意して、同図と直角方向に配置すれば、液晶表面の前後の水平もしくは垂直方向を検出でき、細かな位置を検出可能になる。尚、外形がひし形に限定される物でなく、円形や多角形でも良い。また従来の傾斜センサの、谷腰欣司著者：名称；図形でわかるセンサの話し：１９９５年６月１５日発行：ｐ１４６〜ｐ１４７に記載の静電容量の変化や振り子の位置を検出する構成等を用いても良いが、それと比較して、構成が簡単になる利点がある。さらに、重力方向検出器２１はカラー液晶表示器と同様に液体を使用し、その液体をはさんで電極を構成しているので、同じ様な方法により製作できるので、カラー液晶表示器と一体に製作することにより、コストを安くできる利点がある。
【００２９】
また、図５で、４ａは音声信号を音声に変換する第２のスピーカ、５ａは音声を電気信号に変換する第２のマイクであり、スピーカ４ａはマイク５の隣に配置し、復調回路８６の出力信号３６に接続する。マイク５ａはスピーカ４の隣に配置し、信号３７を介して変調回路８１に入力する。操作者が携帯型情報通信機１を所持した時に、重力方向検出器２１の検出信号２２により、携帯型情報通信機１のカラー液晶表示部２の垂直方向を検出し、その検出信号により、重力方向側のマイク５、もしくはマイク５ａが動作する様に、変調回路８１内で切換える。その逆に、重力方向と反対側のスピーカ４、もしくは、スピーカ４ａが動作するように復調回路８６の内部で切換える。すなわち、重力方向側のマイクが動作し、重力方向の反対側のスピーカが常時動作するように構成される。これを受発音切換手段と呼ぶ。これにより、マイクとスピーカ位置の差が等価的になくなり、カラー液晶表示方向の正立表示手段と併用することにより、操作者が携帯型情報通信機１を初め所持した状態が誤っていても、正しい方向と同じ様に通話や表示及び操作が行えるので、それを、持ち換える必要が無く、使い勝ってが良い。なお、携帯型情報通信機１の傾きが水平の場合には、マイクとスピーカの前の動作を保持して、急変の動作に応答しない様にする。
【００３０】
また、タッチキー６ａ〜６ｊの位置及びその各名称の表示は、制御回路８０の出力信号１３によって、カラー液晶表示部２の各表示方向とその正立や倒立時の文字や図形の位置を全て記憶した文字図形発生回路６９を制御して行われ（これが、文字図形発生手段）、重力方向検出器２１の検出信号２２は制御回路８０により判断され、表示方向と操作者との位置関係が得られるので、操作者がその状態で携帯型情報通信機１を操作しやすい位置に、タッチキー６ａ〜６ｊの位置及びその各名称の移動を行う。この操作が制御回路８０や文字発生回路６９で行われ、位置移動手段となる、例えば、横長表示で、カメラ頭部３が右側の場合には、文字発生回路６９からタッチキー６ａ〜６ｊの位置を表示の下側の所持者の指の近くに配置するメモリを読出して表示し、携帯型情報通信機１を所持しながら、操作指示の図形と文字を操作者に対して操作距離をできるだけ近づけ、使い勝ってを向上する。
【００３１】
また、携帯型情報通信機１は通話以外に送信データの全停止により、受信専用にも使用できるから、その場合には、タッチキー６ａ〜６ｊにより、そのモードを指示し、これを、制御回路８０が判定して、受信時の縦長表示の受信映像信号３４を画像配列変換回路５４に入力し、横長表示手段により、横長表示に変換される。これにより、表示画面を広げた横長表示であり、見易いという利点が有る。
【００３２】
また、重力方向検出器２１は、重力方向に対して携帯型情報通信機１の置かれている位置を検出している。また、操作者は一般的に重力方向と反対側に頭部が在るので、その重力方向は操作者との位置を示すことになる。そこで、検出位置が垂直方向付近であれば、縦長表示手段を用いて、表示方向を縦長にし、水平方向付近であれば、横長表示手段を用いて、表示方向を横長に行われる。さらに、正立表示手段により、操作者に対して、常に正立するので、操作者は表示が見易く、かつ、携帯型情報通信機１を持ち換える操作を無くせる利点が有る。さらに、その反対に携帯型情報通信機１を持ち換える操作を行えば、それに反応して表示方向を変えられる利点も有る。また、重力方向検出器２１は、携帯型情報通信機１の内部に設けるため、操作者の所持位置を制限しない利点もある。
【００３３】
本実施形態によれば、カラー液晶表示面の長て方向を携帯型情報通信機１の縦長方向として、表示面積を向上し、カメラ撮影時もしくは受信専用時は横長表示にしたので、見易い効果が有る。それゆえ、映像撮影も設定しやすい効果が有る。また映像撮影時は、携帯型情報通信機を横長にし、それを両手で保持するのでカメラ振れの減少の効果が有る。また、通話時は縦長表示にしたので、通話状態での見易さや操作のし易さなどの効果が有る。更に、縦長と横長表示を電子的に切換えるので、携帯時の突起を無くし、壊れにくい効果もある。
【００３４】
また、重力方向検出器と正立表示手段により、携帯型情報通信機１のカラー液晶表示方向を操作者に対して、常に正立するように表示することができるので、所持位置の修正を不要にできる効果がある。
【００３５】
また、マイクの隣に別のスピーカ及びスピーカの隣に別のマイクを各々配置し、それを重力方向検出器の検出信号で制御する受発音手段と、各種操作スイッチを映像表示部に取り込み、かつ、操作キーの位置とその名称を移動する位置切換手段により、常に携帯型情報通信機１をどのように所持しても、携帯型情報通信機１の重力方向側にマイクを、その反対側にスピーカを動作させる。そして、操作指示位置とその名称を操作者に近くして、操作をしやすくし、また、表示を常時正立表示した携帯型情報通信機１の通話が行え、さらに、持ち換える操作を省略できる。
【００３６】
また、重力方向検出器２１は携帯型情報通信機１と操作者の位置関係を示し、その検出信号で、カラー液晶表示を縦長表示と横長表示に設定でき、正立表示手段と合わせると、操作者は、携帯型情報通信機１の所持方向を変えることで、好きな表示方向を設定できる効果と携帯型情報通信機１の持ち換える操作を省略できる。
【００３７】
また、重力方向検出器は導通、非道通を検出するため、構成が簡単、かつ、内部で検出できるので携帯型情報通信機１の所持位置を制限しないため、使い易い。
【００３８】
さらに、カラー液晶表示部と一体構成にすることにより、その液晶表示部の構成を利用でき、コストを安くできる。
【図面の簡単な説明】
【００３９】
【図１】本発明の第１実施例の説明図。
【図２】本発明の第１実施例の説明図。
【図３】本発明の第２実施例の説明図。
【図４】本発明の第１実施例のブロック図。
【図５】本発明の第２実施例のブロック図。
【図６】本発明の一実施例の重力方向検出器の説明図。
【図７】本発明の一実施例の重力方向検出器の断面図。
【符号の説明】
【００４０】
１…携帯型情報通信機、
２…カラー液晶表示部、
３…カメラ頭部、
４…発音部、
５…受音部、
６，６ａ〜６ｊ…タッチキー。
【図１】
2006121759.tif 000006
【図２】
2006121759.tif 000007
【図３】
2006121759.tif 000008
【図４】
2006121759.tif 000009
【図５】
2006121759.tif 000010
【図６】
2006121759.tif 000011
【図７】
2006121759.tif 000012
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
片手で所持可能な携帯型情報通信機であって、
音声信号を出力する第１のスピーカと第２のスピーカと、
前記携帯型情報通信機が重力方向に対して置かれている位置を検出する検出手段と、
前記検出手段により前記携帯型情報通信機が重力方向に対して第1の向きにあると検出された場合は前記複数のスピーカの中で重力方向と反対側のスピーカから音声信号を出力させるように信号出力を切り換え、前記検出手段により前記携帯型情報通信機が重力方向に対して第２の向きにあると検出された場合は前記信号出力の切り換えを行わないように制御する制御手段と、
を備えていることを特徴とする携帯型情報通信機。
【請求項２】
片手で所持可能な携帯型情報通信機であって、
画像が入力される入力手段と、
前記入力手段により入力された画像を表示可能な表示手段と、
前記携帯型情報通信機が重力方向に対して置かれている位置を検出する検出手段と、
前記検出手段による検出結果に応じて前記表示手段に画像を縦長の表示方向あるいは横長の表示方向に切り換えて表示するように制御する制御手段と、
を備えていることを特徴とする携帯型情報通信機。
【手続補正２】
【補正対象書類名】明細書
【補正対象項目名】０００７
【補正方法】変更
【補正の内容】
【０００７】
本発明にかかる携帯型情報通信機は、片手で所持可能な通信機であって、音声信号を出力する第１のスピーカと第２のスピーカと、前記携帯型情報通信機が重力方向に対して置かれている位置を検出する検出手段を備える。本通信機は、更に、前記検出手段により前記携帯型情報通信機が重力方向に対して第1の向きにあると検出された場合は前記複数のスピーカの中で重力方向と反対側のスピーカから音声信号を出力させるように信号出力を切り換え、前記検出手段により前記携帯型情報通信機が重力方向に対して第２の向きにあると検出された場合は前記信号出力の切り換えを行わないように制御する制御手段と、を備えていることを特徴とする。また、本発明にかかる携帯型情報通信機は、画像が入力される入力手段と、前記入力手段により入力された画像を表示可能な表示手段と、前記携帯型情報通信機が重力方向に対して置かれている位置を検出する検出手段と、前記検出手段による検出結果に応じて前記表示手段に画像を縦長の表示方向あるいは横長の表示方向に切り換えて表示するように制御する制御手段と、を備えていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、通話およびカメラ撮影に最適な表示方向を設定する携帯型情報通信機を提供することができる。